(57)【要約】【課題】ユーザが使用する端末装置に放送等主コンテンツに関連した情報である副コンテンツを表示するコンテンツ提供システムを提供する。【解決手段】  放送コンテンツ解析装置は、選択された情報ＩＤを放送局ＩＤとともにＩＤ解決サーバに送信する。ＩＤ解決サーバは、放送コンテンツ解析装置から受信した情報ＩＤで指定される情報コンテンツのＵＲＬを受信した放送局ＩＤと対応づけて記憶するＩＤ／アドレス情報対応テーブルを有し、端末装置から放送局ＩＤを受信したとき、この放送局ＩＤに対応する情報コンテンツのアドレス情報を前記端末装置に返信する。端末装置は、放送再生装置が再生した放送コンテンツから放送局ＩＤを抽出し、この放送局ＩＤをＩＤ解決サーバに送信してＵＲＬ取得し、このＵＲＬを用いて情報コンテンツの記憶場所にアクセスする。【選択図】図１
2013247615.tif 000002
【特許請求の範囲】
【請求項１】
主コンテンツを放送または配信する放送局を識別する放送局ＩＤを音響信号に変換し、当該音響信号を前記主コンテンツのオーディオデータに重畳するＩＤ付加手段と、
前記音響信号が付加された主コンテンツを放送または配信する送信手段と、
前記主コンテンツを受信して解析し、前記解析結果として前記主コンテンツの内容を示すキーワードを逐次出力するコンテンツ解析手段と、
前記コンテンツ解析手段がキーワードを出力する毎に、当該キーワードに対応する副コンテンツを選択するとともに、該選択した副コンテンツを示す情報ＩＤを出力し、該情報ＩＤを前記放送局ＩＤに対応づけて記憶する情報選択手段と、
クライアントから、前記放送局ＩＤを受信する放送局ＩＤ受信手段と、
前記放送局ＩＤ受信手段が受信した放送局ＩＤに対応づけられた情報ＩＤの示す副コンテンツの記憶場所を示すＵＲＬを前記クライアントに送信するＩＤ解決手段と、
前記ＩＤ解決手段が前記ＵＲＬを前記クライアントに送信したことに応じて、当該ＵＲＬに記憶された副コンテンツの所有者に対して課金を行う課金手段と、
を備えたコンテンツ提供システム。
【請求項２】
放送または配信される主コンテンツを入力して、若しくは、放送または配信された主コンテンツを受信して解析し、前記解析結果として前記主コンテンツの内容を示すキーワードを逐次出力するコンテンツ解析手段と、
前記コンテンツ解析手段がキーワードを出力する毎に、当該キーワードに対応する副コンテンツを選択するとともに、該選択した副コンテンツを示す情報ＩＤを出力し、該情報ＩＤを前記主コンテンツを放送または配信した放送局を識別する放送局ＩＤと対応づけて記憶する情報選択手段と、
クライアントから、前記放送局ＩＤを受信する放送局ＩＤ受信手段と、
前記放送局ＩＤ受信手段が受信した放送局ＩＤに対応づけられた情報ＩＤの示す副コンテンツの記憶場所を示すＵＲＬを前記クライアントに送信するＩＤ解決手段と、
前記ＩＤ解決手段が前記ＵＲＬを前記クライアントに送信したことに応じて、当該ＵＲＬに記憶された副コンテンツの所有者に対して課金を行う課金手段と、
を備えたコンテンツ提供システム。
【請求項３】
前記主コンテンツを受信して再生する再生装置から、再生中の主コンテンツの放送局ＩＤを取得する放送局ＩＤ取得手段と、
該取得した放送局ＩＤを、音響信号である音響ＩＤに変換して放音するＩＤ放音手段と、
を更に備え、
前記クライアントは、
前記ＩＤ放音手段が放音した音を収音する収音手段と、
前記収音手段が収音した音から前記放送局ＩＤを抽出する放送局ＩＤ抽出手段と、
を更に備えた請求項２に記載のコンテンツ提供システム。
【請求項４】
前記クライアントは、
前記放送または配信された主コンテンツを含む音声信号を収音する収音手段と、
前記収音した音声信号から前記放送局ＩＤを抽出する放送局ＩＤ抽出手段と、
前記抽出した放送局ＩＤを前記ＩＤ解決手段に送信し、その応答として受信したＵＲＬにアクセスすることにより前記副コンテンツを取得する副コンテンツ取得手段と、
を備える請求項１に記載のコンテンツ提供システム。
【請求項５】
主コンテンツを放送または配信する放送局を識別する放送局ＩＤを音響信号に変換し、当該音響信号を前記主コンテンツのオーディオデータに重畳するＩＤ付加手順と、
前記音響信号が付加された主コンテンツを放送または配信する送信手順と、
前記主コンテンツを受信して解析し、前記解析結果として前記主コンテンツの内容を示すキーワードを逐次出力するコンテンツ解析手順と、
前記コンテンツ解析手順でキーワードが出力される毎に、当該キーワードに対応する副コンテンツを選択するとともに、該選択した副コンテンツを示す情報ＩＤを出力し、該情報ＩＤを前記放送局ＩＤに対応づける情報選択手順と、
クライアントから、前記放送局ＩＤを受信する放送局ＩＤ受信手順と、
前記放送局ＩＤ受信手順で受信した放送局ＩＤに対応づけられた情報ＩＤの示す副コンテンツの記憶場所を示すＵＲＬを前記クライアントに送信するＩＤ解決手順と、
前記ＩＤ解決手順で前記ＵＲＬを前記クライアントに送信したことに応じて、当該ＵＲＬに記憶された副コンテンツの所有者に対して課金を行う課金手順と、
を備えたコンテンツ提供方法。
【請求項６】
放送または配信される主コンテンツを入力して、若しくは、放送または配信された主コンテンツを受信して解析し、前記解析結果として前記主コンテンツの内容を示すキーワードを逐次出力するコンテンツ解析手順と、
前記コンテンツ解析手順でキーワードが出力される毎に、当該キーワードに対応する副コンテンツを選択するとともに、該選択した副コンテンツを示す情報ＩＤを出力し、該情報ＩＤを前記主コンテンツを放送または配信した放送局を識別する放送局ＩＤと対応づけて記憶する情報選択手順と、
クライアントから、前記放送局ＩＤを受信する放送局ＩＤ受信手順と、
前記放送局ＩＤ受信手順で受信した放送局ＩＤに前記情報選択手順によって対応づけられた情報ＩＤの示す副コンテンツの記憶場所を示すＵＲＬを前記クライアントに送信することにより放送局ＩＤを解決するＩＤ解決手順と、
前記ＩＤ解決手順で前記放送局ＩＤを解決したことに応じて、当該放送局ＩＤに対応づけられた情報ＩＤの示す副コンテンツの所有者に対して課金を行う課金手順と、
を備えたコンテンツ提供方法。
【請求項７】
放送局が放送または配信する主コンテンツを受信して解析し、前記解析結果として前記主コンテンツの内容を示すキーワードを逐次出力するコンテンツ解析手段と、
前記コンテンツ解析手段がキーワードを出力する毎に、当該キーワードに対応する副コンテンツを選択するとともに、該選択した副コンテンツを示す情報ＩＤを出力し、該情報ＩＤを、前記放送局を識別する放送局ＩＤに対応づけて出力する情報選択手段と、
を備えたコンテンツ解析装置。
【請求項８】
クライアントから、前記放送局が放送または配信した主コンテンツのオーディオデータに重畳された音響信号を復調して得られた放送局ＩＤを受信する放送局ＩＤ受信手段と、
前記放送局ＩＤ受信手段が受信した前記放送局ＩＤに前記情報選択手段によって対応づけられた前記情報ＩＤの示す副コンテンツの記憶場所を示すＵＲＬを、前記クライアントに送信することにより前記放送局ＩＤを解決するＩＤ解決手段と、
を更に備えた請求項７に記載のコンテンツ解析装置。
【請求項９】
前記コンテンツ解析手段が出力するキーワードと前記副コンテンツまたは前記情報ＩＤとの対応関係を規定したエントリーテーブルを備え、
前記情報選択手段は、前記エントリーテーブルを参照して、前記コンテンツ解析手段が出力したキーワードに対応する副コンテンツを抽出する
請求項７または請求項８に記載のコンテンツ解析装置。
【請求項１０】
前記エントリーテーブルは、さらに前記副コンテンツに関連する付帯情報を記憶し、
前記情報選択手段は、前記コンテンツ解析手段が出力したキーワードに対応する副コンテンツが複数あった場合、各副コンテンツの付帯情報に基づいて一の副コンテンツを選択する
請求項９に記載のコンテンツ解析装置。
【請求項１１】
放送または配信される主コンテンツを受信して再生する再生装置から、再生中の主コンテンツを放送または配信した放送局を識別する情報である放送局ＩＤを取得する放送局ＩＤ取得手段と、
該取得した放送局ＩＤを、音響信号である音響ＩＤに変換して放音するＩＤ放音手段と、
を備えた放送局ＩＤ放音装置。
【発明の詳細な説明】
【技術分野】
【０００１】
この発明は、主コンテンツであるテレビ番組等が放送、配信または再生されているときに、その主コンテンツの内容に関連した副コンテンツである広告などの情報を提供するコンテンツ提供システムに関する。
【背景技術】
【０００２】
テレビ放送において、広告（テレビＣＭ）を放送できる時間は、基準が定められている（例えば、日本民間放送連盟放送基準第１８章「広告の時間基準」など）。この基準によれば、３０分の時間枠でタイムＣＭ、スポットＣＭ合わせて、放送できる時間は約７分で、これ以上増やすことができない。また、テレビＣＭ、特に番組外で放送されるスポットＣＭは、テレビ番組本体の内容と直接関係がないため、視聴者の興味をひけない場合が多かった。
【０００３】
一方、テレビＣＭでは、より詳細な商品情報を視聴者に伝えるため、視聴者をインターネットのウェブ広告へ誘導することが行われている。視聴者をウェブ広告へ誘導する従来の手法としては、短縮ＵＲＬの表示、ＵＲＬを自動返信するメールアドレスの表示、ＱＲコード（登録商標）の表示、検索ワードの表示と言った手法が用いられ、特に現在では検索ワードを表示させる手法が一般的となっている。
【先行技術文献】
【特許文献】
【０００４】
【特許文献１】特開２００８−２８８６３８号公報
【発明の概要】
【発明が解決しようとする課題】
【０００５】
テレビ放送による広告の態様を現在よりも多様にするため、また、テレビ放送された番組の内容に関連した広告を提供するため、ウェブ広告を放送された番組にリアルタイムにリンクさせ、番組の放送中にスマートフォンなどの端末装置にウェブ広告を並行して表示させることが考えられる。
【０００６】
しかし、視聴者をウェブ広告に導く上記従来の手法は、どの手法を利用してもユーザに強いる操作の手間が大きく、これらの手法では、テレビ番組の視聴者をそのテレビ番組の内容にリンクしたウェブ広告へ自然に誘導することはできなかった。
【０００７】
なお、従来技術として、テレビ受像機を経由して情報を取得する手法として、テレビのリモコン操作によってその番組に関連する各種の情報をテレビ画面に表示させるものが特許文献１などに開示されている。
【０００８】
この発明は、テレビ放送の視聴者等であるユーザが使用する端末装置に放送の内容に関連した情報を提供するためのコンテンツ提供システムを提供することを目的とする。
【課題を解決するための手段】
【０００９】
この発明の第１の側面によって提供されるコンテンツ提供システムは、主コンテンツを放送または配信する放送局を識別する放送局ＩＤを音響信号に変換し、当該音響信号を前記主コンテンツのオーディオデータに重畳するＩＤ付加手段と、前記音響信号が付加された主コンテンツを放送または配信する送信手段と、前記主コンテンツを受信して解析し、前記解析結果として前記主コンテンツの内容を示すキーワードを逐次出力するコンテンツ解析手段と、前記コンテンツ解析手段がキーワードを出力する毎に、当該キーワードに対応する副コンテンツを選択するとともに、該選択した副コンテンツを示す情報ＩＤを出力し、該情報ＩＤを前記放送局ＩＤに対応づけて記憶する情報選択手段と、クライアントから、前記放送局ＩＤを受信する放送局ＩＤ受信手段と、前記放送局ＩＤ受信手段が受信した放送局ＩＤに対応づけられた情報ＩＤの示す副コンテンツの記憶場所を示すＵＲＬを前記クライアントに送信するＩＤ解決手段と、前記ＩＤ解決手段が前記ＵＲＬを前記クライアントに送信したことに応じて、当該ＵＲＬに記憶された副コンテンツの所有者に対して課金を行う課金手段と、を備えたことを特徴とする。
【００１０】
上記発明において、前記クライアントが、前記放送または配信された主コンテンツを含む音声信号を収音する収音手段と、前記収音した音声信号から前記放送局ＩＤを抽出する放送局ＩＤ抽出手段と、前記抽出した放送局ＩＤを前記ＩＤ解決手段に送信し、その応答として受信したＵＲＬにアクセスすることにより前記副コンテンツを取得する副コンテンツ取得手段と、を備えてもよい。
【００１１】
この発明の第２の側面によって提供されるコンテンツ提供システムは、放送または配信される主コンテンツを入力して、若しくは、放送または配信された主コンテンツを受信して解析し、前記解析結果として前記主コンテンツの内容を示すキーワードを逐次出力するコンテンツ解析手段と、前記コンテンツ解析手段がキーワードを出力する毎に、当該キーワードに対応する副コンテンツを選択するとともに、該選択した副コンテンツを示す情報ＩＤを出力し、該情報ＩＤを前記主コンテンツを放送または配信した放送局を識別する放送局ＩＤと対応づけて記憶する情報選択手段と、クライアントから、前記放送局ＩＤを受信する放送局ＩＤ受信手段と、前記放送局ＩＤ受信手段が受信した放送局ＩＤに対応づけられた情報ＩＤの示す副コンテンツの記憶場所を示すＵＲＬを前記クライアントに送信するＩＤ解決手段と、前記ＩＤ解決手段が前記ＵＲＬを前記クライアントに送信したことに応じて、当該ＵＲＬに記憶された副コンテンツの所有者に対して課金を行う課金手段と、を備えたことを特徴とする。
【００１２】
上記発明において、前記主コンテンツを受信して再生する再生装置から、再生中の主コンテンツの放送局ＩＤを取得する放送局ＩＤ取得手段と、該取得した放送局ＩＤを、音響信号である音響ＩＤに変換して放音するＩＤ放音手段と、を更に備え、前記クライアントが、前記ＩＤ放音手段が放音した音を収音する収音手段と、前記収音手段が収音した音から前記放送局ＩＤを抽出する放送局ＩＤ抽出手段と、を更に備えてもよい。
【００１３】
この発明の第３の側面によって提供されるコンテンツ提供方法は、主コンテンツを放送または配信する放送局を識別する放送局ＩＤを音響信号に変換し、当該音響信号を前記主コンテンツのオーディオデータに重畳するＩＤ付加手順と、前記音響信号が付加された主コンテンツを放送または配信する送信手順と、前記主コンテンツを受信して解析し、前記解析結果として前記主コンテンツの内容を示すキーワードを逐次出力するコンテンツ解析手順と、前記コンテンツ解析手順でキーワードが出力される毎に、当該キーワードに対応する副コンテンツを選択するとともに、該選択した副コンテンツを示す情報ＩＤを出力し、該情報ＩＤを前記放送局ＩＤに対応づける情報選択手順と、クライアントから、前記放送局ＩＤを受信する放送局ＩＤ受信手順と、前記放送局ＩＤ受信手順で受信した放送局ＩＤに対応づけられた情報ＩＤの示す副コンテンツの記憶場所を示すＵＲＬを前記クライアントに送信するＩＤ解決手順と、前記ＩＤ解決手順で前記ＵＲＬを前記クライアントに送信したことに応じて、当該ＵＲＬに記憶された副コンテンツの所有者に対して課金を行う課金手順と、を備えたことを特徴とする。
【００１４】
この発明の第４の側面によって提供されるコンテンツ提供方法は、放送または配信される主コンテンツを入力して、若しくは、放送または配信された主コンテンツを受信して解析し、前記解析結果として前記主コンテンツの内容を示すキーワードを逐次出力するコンテンツ解析手順と、前記コンテンツ解析手順でキーワードが出力される毎に、当該キーワードに対応する副コンテンツを選択するとともに、該選択した副コンテンツを示す情報ＩＤを出力し、該情報ＩＤを前記主コンテンツを放送または配信した放送局を識別する放送局ＩＤと対応づけて記憶する情報選択手順と、クライアントから、前記放送局ＩＤを受信する放送局ＩＤ受信手順と、前記放送局ＩＤ受信手順で受信した放送局ＩＤに前記情報選択手順によって対応づけられた情報ＩＤの示す副コンテンツの記憶場所を示すＵＲＬを前記クライアントに送信することにより放送局ＩＤを解決するＩＤ解決手順と、前記ＩＤ解決手順で前記放送局ＩＤを解決したことに応じて、当該放送局ＩＤに対応づけられた情報ＩＤの示す副コンテンツの所有者に対して課金を行う課金手順と、を備えたことを特徴とする。
【００１５】
この発明の第５の側面によって提供されるコンテンツ解析装置は、放送局が放送または配信する主コンテンツを受信して解析し、前記解析結果として前記主コンテンツの内容を示すキーワードを逐次出力するコンテンツ解析手段と、前記コンテンツ解析手段がキーワードを出力する毎に、当該キーワードに対応する副コンテンツを選択するとともに、該選択した副コンテンツを示す情報ＩＤを出力し、該情報ＩＤを、前記放送局を識別する放送局ＩＤに対応づけて出力する情報選択手段と、を備えたことを特徴とする。
【００１６】
上記発明において、クライアントから、前記放送局が放送または配信した主コンテンツのオーディオデータに重畳された音響信号を復調して得られた放送局ＩＤを受信する放送局ＩＤ受信手段と、前記放送局ＩＤ受信手段が受信した前記放送局ＩＤに前記情報選択手段によって対応づけられた前記情報ＩＤの示す副コンテンツの記憶場所を示すＵＲＬを、前記クライアントに送信することにより前記放送局ＩＤを解決するＩＤ解決手段と、を更に備えてもよい。
【００１７】
上記発明において、前記コンテンツ解析手段が出力するキーワードと前記副コンテンツまたは前記情報ＩＤとの対応関係を規定したエントリーテーブルを備え、前記情報選択手段は、前記エントリーテーブルを参照して、前記コンテンツ解析手段が出力したキーワードに対応する副コンテンツを抽出するようにしてもよい。
【００１８】
上記発明において、前記エントリーテーブルは、さらに前記副コンテンツに関連する付帯情報を記憶し、前記情報選択手段は、前記コンテンツ解析手段が出力したキーワードに対応する副コンテンツが複数あった場合、各副コンテンツの付帯情報に基づいて一の副コンテンツを選択するようにしてもよい。
【００１９】
この発明の第６の側面によって提供される放送局ＩＤ放音装置は、放送または配信される主コンテンツを受信して再生する再生装置から、再生中の主コンテンツを放送または配信した放送局を識別する情報である放送局ＩＤを取得する放送局ＩＤ取得手段と、該取得した放送局ＩＤを、音響信号である音響ＩＤに変換して放音するＩＤ放音手段と、を備えたことを特徴とする。
【発明の効果】
【００２０】
この発明によれば、放送または配信されるテレビ番組などの主コンテンツの内容・場面に応じた広告等の副コンテンツを、端末装置を介して的確に主コンテンツの視聴者に提供することが可能になる。
【図面の簡単な説明】
【００２１】
【図１】この発明の実施形態である広告提供システムのブロック図
【図２】音響ＩＤが重畳される周波数帯域を説明する図
【図３】広告エントリーデータベースの構成を示す図
【図４】音響ＩＤ変換部の構成を示す図
【図５】ＩＤ解決サーバのブロック図
【図６】端末装置のブロック図
【図７】端末装置の音響ＩＤ復調部の構成を示す図
【図８】広告管理サーバの動作を示すフローチャート
【図９】広告選択部、端末装置およびＩＤ解決サーバの動作を示すフローチャート
【図１０】広告提供システムの変形例を示す図
【発明を実施するための形態】
【００２２】
《広告提供システムの概要》
図１は、この発明の実施形態である広告提供システムの構成を説明する図である。この広告提供システムは、テレビ番組（放送コンテンツ１０１）の各場面の内容に関連したウェブ広告（広告コンテンツ）１２１を、視聴者２０が所持する端末装置２２に表示させるプッシュ型のウェブ広告提供システムである。本実施形態においては、たとえば、テレビ番組がビールなどの飲物を飲む場面を表示していたとき、これに呼応するようにビール会社やビヤレストランなどのウェブ広告１２１を端末装置２２に表示させる。このテレビ番組に連動したプッシュ型の態様にてウェブ広告を提供するウェブ広告提供サービスを、以下「リンク広告提供サービス」と呼ぶ。このリンク広告提供サービスは、事前に申し込まれた（エントリーされた）ウェブ広告１２１に対して行われる。ここで、テレビ番組（放送コンテンツ１０１）は、放送局１から放送され、テレビ受像機２１が、このテレビ番組（放送コンテンツ１０１）を受信して、視聴者２０に向けて再生する。また、本実施形態において、テレビ番組とは、放送局１から放送されるコンテンツ全般を指し、所謂テレビ番組本体のみならずテレビコマーシャル（テレビＣＭ）等を含むものとする。また、端末装置２２は視聴者２０が所持し、視聴者２０がテレビ番組を視聴するとき、この端末装置２２もテレビ受像機２１の近傍（テレビ受像機２１から放音される音声を収音できる程度の距離）に置かれるものとする。なお、放送コンテンツ１０１が本発明の主コンテンツに対応し、ウェブ広告１２１が本発明の副コンテンツに対応する。
【００２３】
図１において、放送局１は、送信機器１０を有しており、送信機器１０は、放送コンテンツ１０１を変調してＵＨＦ帯の地上波デジタルチャンネルの周波数帯で送信（放送）する。また、放送局１は、放送局ＩＤ重畳部１１を有する。放送局ＩＤ重畳部１１は、この放送局１の識別情報である放送局ＩＤ１０３を放送コンテンツ１０１の信号に重畳する。放送局の識別情報は、例えばチャンネル番号でもよいし、コールサインの一部または全部を表す英数字でもよい。
【００２４】
放送局ＩＤ１０３の放送コンテンツ１０１への重畳は、種々の方式を適用することができるが、本実施形態では、本出願人による国際特許出願（国際公開第２０１０／０１６５８９号パンフレット）に開示されている方式を適用する。この方式は、放送局ＩＤ１０３をスペクトラム拡散および周波数シフトにより特定の周波数帯域の音響信号である音響ＩＤ１０４に変換し、変換した音響ＩＤ１０４を放送コンテンツ１０１の音声信号に重畳する方式である。
【００２５】
図２に放送コンテンツ１０１に含まれる音声信号の周波数帯と音響ＩＤ１０４の周波数帯との関係を示す。図２に示すように、本実施形態での主コンテンツであるテレビ番組で使用される音声の上限周波数は１６ｋＨｚ程度である。一方、送信機器１０およびテレビ受像機２１が送受信および再生可能な音声の上限周波数は２０ｋＨｚ程度である。音響ＩＤ１０４は１８〜２０ｋＨｚの周波数帯域の音声信号であるから、音響ＩＤ１０４は、放送コンテンツ１０１に含まれる通常の音声信号の周波数帯域以上であり、送信機器１０およびテレビ受像機２１が送受信および再生可能な周波数帯域に重畳されることになる。テレビ受像機２１のスピーカから放送コンテンツ１０１の音声信号および音響ＩＤ１０４を含む音が放音されたとき、音響ＩＤ１０４は放送コンテンツ１０１の音声信号と容易に分離可能である。放送音声に音響ＩＤ１０４を重畳する方式の詳細については後述する。
【００２６】
視聴者２０が所持する端末装置２２は、テレビ受像機２１のスピーカから放音された放送コンテンツ１０１の音声信号および音響ＩＤ１０４を含む音を収音する。端末装置２２は、この収音した音に含まれる音響ＩＤ１０４を放送局ＩＤ１０３に復調する。端末装置２２は、広告管理センター４のＩＤ解決サーバ４１にアクセスして、復調して得られた放送局ＩＤ１０３に対応するウェブ広告１２１のＵＲＬ１４１を取得する。これにより、端末装置２２は、短い符号（たとえば８桁の数字）からなる放送局ＩＤ１０３を、テレビ受像機２１から音響ＩＤ１０４として取得し、取得した放送局ＩＤ１０３に基づいて長い符号（英数字等の所定の文字列）からなるＵＲＬ１４１を取得することが可能になる。端末装置２２は、取得したＵＲＬ１４１に基づき、広告提供サーバ３１にアクセスして、ウェブ広告１２１を取得し、これを端末装置２２が備えるディスプレイ等に表示する。
【００２７】
ＩＤ解決サーバ４１には、放送局ＩＤ１０３がウェブ広告１２１のＵＲＬ１４１に対応づけて記憶されている。ＩＤ解決サーバ４１は、端末装置２２からのアクセスに応じて、受信した放送局ＩＤ１０３に対応するＵＲＬ１４１を提供する。ＩＤ解決サーバ４１が、端末装置２２から受信した放送局ＩＤ１０３を、当該放送局ＩＤ１０３に対応するＵＲＬ１４１に変換し、変換したＵＲＬ１４１を端末装置２２に返信する処理を「放送局ＩＤの解決」と呼ぶ。
【００２８】
広告提供サーバ３１は、ＵＲＬ１４１が示すウェブ広告１２１を提供可能に記憶したウェブサーバであり、端末装置２２からのアクセスに応じて、要求されたＵＲＬ１４１の示すウェブ広告１２１を提供する。
【００２９】
端末装置２２の上述の一連の処理（テレビ受像機２１のスピーカから放音された音の収音、音響ＩＤ１０４の復調、ＵＲＬ１４１の取得、広告提供サーバ３１へのアクセス、ウェブ広告１２１の表示）は、端末装置２２において実行される副コンテンツ取得プログラムにより自動的に行われる。従って、端末装置２２を所持する視聴者２０に対しては、テレビ放送１０１（主コンテンツ）に連動したウェブ広告１２１（副コンテンツ）がプッシュ型の態様で提供されることになる。
【００３０】
上述の副コンテンツ取得プログラムは、端末装置２２に図９（Ｂ）に示すような動作を実現するプログラムであり、インターネットなどの通信ネットワーク５を経由したダウンロードやコンピュータ読み取り可能な記録媒体に記録した状態で提供し得るものである。コンピュータ読み取り可能な記憶媒体としては、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどを適用することが可能である。また、副コンテンツ取得プログラムは、端末装置２２のメモリに出荷時に書き込まれていてもよい。
【００３１】
なお、副コンテンツであるウェブ広告１２１の広告主３０は、作成したウェブ広告１２１を広告提供サーバ３１において配信が可能な状態に配置しているものとする。広告提供サーバ３１は一般的なウェブサーバでよい。
【００３２】
以下、本広告提供システムについて詳細に説明する。
【００３３】
以下、図４を参照して、放送局１に設置される放送局ＩＤ重畳部１１の音響ＩＤ変換部１５について説明する。図４は音響ＩＤ変換部１５の構成例を示す図である。拡散符号発生部２０１は放送局ＩＤ１０３の周波数スペクトルを拡散するための拡散符号ＰＮを発生する。拡散符号としては、Ｍ系列等の一定の巡回周期を持つ擬似乱数符号列が用いられる。放送局ＩＤ１０３は、１シンボル周期が拡散符号の１巡回周期と一致するように周期が調整される。
【００３４】
乗算器２０２は、放送局ＩＤ１０３と拡散符号とを乗算する。この処理が、スペクトラム拡散と呼ばれる処理である。この拡散処理により、放送局ＩＤ１０３の値（１または０の数値列）によって拡散符号が巡回周期毎に位相変調され、放送局ＩＤ１０３の周波数スペクトルが拡散される。
【００３５】
乗算器２０２により、周波数スペクトルが拡散された放送局ＩＤ１０３は、差動符号化部２０３によって差動符号に変換される。差動符号化処理は、拡散符号の各チップの値をその絶対値から前チップからの変化を表す値に置き換える処理である。この差動符号化により、受信側（後で詳述）において、送信側に正確に同期したクロックが無くても、遅延検波を用いて高精度にシンボルを復調することができる。
【００３６】
差動符号化部２０３は、乗算器２０２で周波数スペクトルが拡散された放送局ＩＤ１０３が一方の入力端子に入力されるＸＯＲ回路２０４と、ＸＯＲ回路２０４の出力を１チップ遅延してＸＯＲ回路２０４の他方の入力端子に戻す１チップ遅延回路２０５で構成されている。ＸＯＲ回路２０４の出力を１チップ遅延して、ＸＯＲ回路２０４の他方の入力端子にフィードバックすることにより、ＸＯＲ回路２０４は、周波数スペクトルが拡散された放送局ＩＤ１０３の入力チップとＸＯＲ回路２０４の１クロック前の出力チップとの排他的論理和を差動符号として出力する。すなわち、差動符号では、周波数スペクトルが拡散された放送局ＩＤ１０３の各チップの絶対値が、直前の差動符号チップとの位相の一致または不一致を表す符号に置き換えられる。これにより、受信側において、連続する２チップを比較することにより周波数スペクトルが拡散された放送局ＩＤ１０３を、送信側に正確に同期したクロックがなくても復元することができる。
【００３７】
ＸＯＲ回路２０４から出力された差動符号は、アップサンプリング部２０６に入力される。アップサンプリング部２０６は、差動符号の入力された符号列の各サンプルを複数のサンプルに分割し、ドップラシフトによって符号が伸縮した場合でも受信側で復調可能なように波形を加工する。
【００３８】
アップサンプリング部２０６でアップサンプリング処理された差動符号は、ＬＰＦ２０７に入力される。ＬＰＦ２０６は、ベースバンド信号の帯域を制限し、チップ間干渉を抑制しつつベースバンド信号の帯域を制限するフィルタでありナイキストフィルタと呼ばれるものである。ナイキストフィルタは、インパルス応答がシンボル・レートでリングする（０を通過する）特性を有するフィルタであり、一般的にコサイン・ロールオフ・フィルタと呼ばれるＦＩＲフィルタで構成される。フィルタの次数、ロールオフ率α等は、適用する条件等に応じて決定される。
【００３９】
なお、この実施形態では、音響ＩＤ１０４を受信する端末装置２２においてもＬＰＦ２５４（図７参照）でフィルタリングを行うため、図４のＬＰＦ２０７と図７のＬＰＦ２５４で完全なナイキストフィルタとなるように、それぞれが、ルートレイズド・コサイン・ロールオフ・フィルタで構成される。
【００４０】
ＬＰＦ２０７によって帯域制限、波形整形された信号は、乗算器２０８において、キャリア信号発生部２０９が発生したキャリア信号と乗算され、図２に示す１８〜２０ｋＨｚの周波数帯域の信号にシフトされる。１８〜２０ｋＨｚの周波数帯域にシフトされ、音響ＩＤ変換部１５から出力された信号が、音響ＩＤ１０４として音声合成部１６に入力される。
【００４１】
音声合成部１６は、音響ＩＤ１０４を放送コンテンツ１０１の音声信号である放送音声信号に加算して音響信号を合成する加算器である。音声合成部１６は、放送音声信号と音響ＩＤ１０４とを、同一のサンプリング周波数に調整し、放送音声信号と音響ＩＤ１０４とを加算合成し、音響ＩＤ１０４が重畳された放送音声信号を出力する。
【００４２】
この音響ＩＤ１０４が重畳された放送音声信号を含む放送コンテンツ１０１が、送信機器１０に入力され、テレビ放送としてＵＨＦ帯の電波信号で送信される。この電波信号がテレビ受像機２１によって受信され、映像および音声が再生される。放送コンテンツ１０１の映像信号はディスプレイに表示され、放送コンテンツ１０１の音声信号はスピーカから放音される。上述のとおり、この音声信号に音響ＩＤ１０４が含まれている。放音された音響ＩＤ１０４は、視聴者２０が所持する端末装置２２に収音される。また、放送局１から送信された電波信号は、リンク情報選択部６のテレビチューナ１７に受信され、放送局ＩＤ復調部１８に入力される。
【００４３】
なお、上記音響ＩＤ変換部１５および音声合成部１６を有する放送局ＩＤ重畳部１１が、本発明のＩＤ付加手段に対応する。
【００４４】
《リンク情報選択部６》
リンク情報選択部６は、テレビチューナ１７、放送局ＩＤ復調部１８、コンテンツ解析部１２および広告選択部１３を有している。また、広告選択部１３は、広告エントリーデータベース１４を備えている。リンク情報選択部６は、放送局１が送信する放送電波を受信して放送コンテンツ１０１を入力し、この放送コンテンツ１０１の内容に応じた広告を選択する。
【００４５】
テレビチューナ１７は、放送局１が放送するテレビ放送（放送コンテンツ１０１）を受信する。放送局ＩＤ復調部１８は、テレビチューナ１７が受信したテレビ放送（放送コンテンツ１０１）の音声信号に含まれる音響ＩＤ１０４から放送局ＩＤ１０３を復調する。放送局ＩＤ復調部１８の構成および動作は、後述の端末装置２２の音響ＩＤ復調部５３と同様でよい。
コンテンツ解析部１２は、テレビチューナ１７が受信した放送コンテンツ１０１の内容を解析して、キーワード１０２を生成・出力する。放送コンテンツ１０１の解析は、例えば、放送コンテンツ１０１に対して画像解析や音声認識等をすることによって行われる。ここで、画像解析とは、画像から輪郭、色調などの特徴を抽出し、映っている物体が何であるかを認識する技術をいう。また、音声認識とは、音声信号の波形や周波数構造等の特徴に基づき、音声に含まれている情報を認識する技術をいう。これらの技術は、公知技術を適宜使用することが可能であり、詳細な説明は省略する。コンテンツ解析部１２は、入力された放送コンテンツ１０１に対して行った画像解析および音声認識の結果に基づいて、放送コンテンツ１０１の場面がどのような場面であるかを判定し、その場面の内容を表すテキスト情報であるキーワード１０２を生成・出力する。すなわち、キーワード１０２は、放送コンテンツ１０１の内容を表す語、または、放送コンテンツ１０１の各場面の特徴や属性を表す語である。このキーワード１０２は、広告選択部１３に入力される。
【００４６】
なお、コンテンツ解析部１２は、テレビチューナ１７を介して、放送局１から放送される主コンテンツ１０１をリアルタイムに入力して、キーワード１０２の生成・出力を逐次行う。
【００４７】
キーワード１０２の生成タイミング、生成間隔は適宜定めることができる。たとえば、予め設定された所定の時間間隔毎（例えば５分毎）、あるいはコンテンツ解析部１２にて放送コンテンツ１０１の場面が変更されたことを検出し、その検出したタイミング等でよい。
【００４８】
広告選択部１３は、コンテンツ解析部１２から入力されたキーワード１０２を用いて広告エントリーデータベース１４を検索し、広告エントリーデータベース１４にエントリーされているウェブ広告１２１の中からこのキーワード１０２に適合するウェブ広告１２１に対応する広告ＩＤ１０６を選択する。広告選択部１３は、選択した広告ＩＤ１０６を広告選択情報１０５として広告管理センター４の広告管理サーバ４０に送信する。なお、上記広告ＩＤ１０６が本発明の情報ＩＤに対応する。
【００４９】
ここで、ウェブ広告１２１のエントリーとは、ウェブ広告１２１（またはこれに対応する識別情報である広告ＩＤ１０６）が特定のキーワード１０２に関連付けられて、広告エ
ントリーデータベース１４に事前に登録されていることをいう。ウェブ広告１２１のエントリーにあたり、エントリー情報１２２が広告主３０から広告管理センター４に送信される。エントリー情報１２２は、キーワード１０２、上限単価を少なくとも含んでいる。なお、エントリー情報１２２には、更に種々の情報を含ませてもよく、この実施形態では、予算、クライアント名、商品名またはサービス名、業種コード、および、品種コードまたはサービスコードを更に含んでいる。ウェブ広告１２１のエントリーの詳細については後述する。
【００５０】
図３を参照して、エントリーデータベース１４の構成を説明する。広告エントリーデータベース１４は、エントリー情報１２２に含まれるキーワード１０２、上限単価、予算等の情報や、エントリー情報１２２に対応するＵＲＬ１４１、広告ＩＤ１０６などの情報を記憶する。本発明のエントリーデータベース１４として必須の情報はキーワード１０２と広告ＩＤ１０６との対応関係を規定する情報である。なお、この実施態様では、キーワード１０２、広告ＩＤ１０６および上限単価が広告エントリーデータベース１４に登録される必須の情報であり、他の情報（予算，クライアント名，商品名やサービス名，業種コードや品種コード、ＵＲＬ等）は後述する選択ルールに応じて適宜追加・省略が可能である。
【００５１】
広告エントリーデータベース１４は、複数のウェブ広告１２１のエントリーをキーワード１０２毎にグループ化して管理している。各エントリーは、そのエントリー情報１２２に含まれるキーワード１０２のグループに所属する。ただし、エントリー情報１２２が複数のキーワード１０２を含む場合、そのエントリー情報１２２は、その複数のキーワード１０２のそれぞれのグループに所属する。
【００５２】
上限単価（円／アクセス）は、ウェブ広告１２１が、視聴者２０（あるいは端末装置２２）によって閲覧（アクセス）された回数に応じて、広告管理センター４から広告主３０へ請求される１アクセス当たりの課金単価の上限である。キーワード１０２がコンテンツ解析部１２から広告選択部１３に入力される都度、広告選択部１３は、当該キーワード１０２に対してグループ化されている各ウェブ広告１２１のエントリー情報１２２に含まれている上限単価を取得し、この上限単価に基づく自動入札処理を行う。ここで、自動入札処理とは、各エントリーに対してＡＩ（人工知能）を設け、このＡＩによる入札によって、入力されたキーワード１０２に対して選択される、ウェブ広告１２１のエントリー（広告ＩＤ１０６）を決定する処理である。ＡＩは、自己が担当するエントリー情報１２２に含まれる上限単価、予算などの情報に基づいてキーワード１０２に対する適価を所定の下限値から上限値の範囲で算出して、入札する。自動入札処理にてキーワード１０２を落札したＡＩが算出した適価は、落札単価として後述の広告選択情報１０５にて広告管理センター４の広告管理サーバ４０に送信される。
【００５３】
広告選択部１３は、自動入札処理の結果に基づいて、キーワード１０２に対してグループ化されたウェブ広告１２１のうちから一つのウェブ広告１２１を選択する。同じキーワードに複数のエントリーがある場合、基本的には上限単価が最も高いウェブ広告１２１が選択されるが、情報選択部１３は、所定の選択ルールに基づき、特定のウェブ広告１２１をエントリーから除外したり、入札価格の比較の重み付けを変更したりすることによってウェブ広告１２１の選択を調整および適正化している。
【００５４】
広告選択部１３は、ウェブ広告１２１の選択を調整および適正化するにあたり、エントリー情報１２２に含まれる、クライアント名、商品名またはサービス名、業種コード、および、品種コードまたはサービスコード等の各種情報を利用する。なお、業種コードは日本標準産業分類のコードを用いることができる。また、品種コードは、たとえばＪＩＳ（日本工業規格）やＪＡＳ（日本農林規格）の分類コードを用いることができる。
【００５５】
上記選択ルールとしては、例えば以下のようなものが使用される。
「テレビ番組のスポンサー企業と競合するクライアントは選択しない。」
「テレビ番組で放送される広告と同じ業種または同じ品種の商品の広告は選択しない。」
「規模の大きいクライアント、企業イメージの高いクライアントのウェブ広告を優先的に選択する。」
「内容が充実したウェブ広告１２１を優先的に選択する。」
「広告が禁止される番組（たとえばニュース番組）や場面では広告を選択しない。」
【００５６】
なお、選択ルールは、上記のものに限定されない。また、番組のスポンサー企業や広告禁止情報等は放送コンテンツ１０１にメタデータとして含まれていてもよく、ＥＰＧなどの放送プログラム情報によって提供されてもよい。この場合、コンテンツ解析部１２は主コンテンツ１０１からメタデータを抽出する処理や、ＥＰＧ等の放送プログラム情報から必要な情報を抽出する処理等を実行するようにすればよい。また、広告主３０であるクライアント企業の社会的責任（ＣＳＲ）の程度や、当該広告の商品やサービスの環境への負荷の程度やフェアトレードの程度等を評価した結果に応じて、ウェブ広告１２１を選択するルールを適用してもよい。これらの評価は、広告管理センター４の管理者が行い、この評価によって作成されたルールをリンク情報選択部６に提供するようにすればよい。
【００５７】
広告選択部１３は、上述のような選択ルールに基づいて、コンテンツ解析部１２から入力されたキーワード１０２に対応するウェブ広告１２１を選択し、この選択結果を広告選択情報１０５として広告管理センター４の広告管理サーバ４０に送信する。広告選択情報１０５は、受信している放送局１の放送局ＩＤ１０３、選択したウェブ広告１２１の広告ＩＤ１０６、落札単価を含む情報である。
【００５８】
広告管理サーバ４０は、この広告選択情報１０５に基づいて、選択されたウェブ広告１２１（広告ＩＤ１０６）のＵＲＬ１４１を放送局ＩＤ１０３に対応づけてＩＤ解決サーバ４１にアップロードするとともに、この広告に対する広告料金の計算等を行う。
【００５９】
なお、図１に示したリンク情報選択部６では、放送局ＩＤ復調部１８が、テレビチューナ１７が受信した放送コンテンツ１０１の音響ＩＤ１０４から放送局ＩＤ１０３を取得しているが、テレビチューナ１７から現在受信している放送局の放送チャンネルを表す選局チャンネル情報を取り出し、この選曲チャンネル情報を、放送局を識別する情報である放送局ＩＤ１０３としてもよい。この方式によれば、音響ＩＤ１０４を復調することなく放送局ＩＤ１０３を生成することができる。
【００６０】
《広告管理センター４》
広告管理センター４は、広告管理サーバ４０およびＩＤ解決サーバ４１を有している。ウェブ広告１２１（広告コンテンツ）の広告主３０は、作成したウェブ広告１２１を広告提供サーバ３１にアップロードする。広告提供サーバ３１は一般のウェブサーバでよい。そして、広告主３０は、広告管理センター４にこのウェブ広告１２１についてリンク広告提供サービスのエントリーを行う。なお、広告管理サーバ４０は、図３の広告エントリーデータベース１４の構成に、落札単価、ＩＤ解決回数、広告料金の積算値などの一時記憶欄を加えた広告管理データベースを備えており、ウェブ広告１２１のエントリーに対応して、少なくとも広告ＩＤ１０６、ＵＲＬ１４１、上限単価および予算が登録される。
【００６１】
広告管理サーバ４０は、広告主３０からエントリー情報１２２およびＵＲＬ１４１を受信し、ウェブ広告１２１のエントリーを受け付ける。広告管理サーバ４０は、エントリーを受け付けたウェブ広告１２１に対して広告ＩＤ１０６を発行する。広告ＩＤ１０６は、少なくともそのときエントリーされている複数のウェブ広告１２１のそれぞれに対して、ユニークなものが発行される。広告ＩＤ１０６は、エントリー情報１２２のうち少なくとも上限単価および予算とともに広告管理データベースに登録される。また、エントリー情報１２２（少なくとも上限単価および選択ルール上必要な情報）および広告ＩＤ１０６を、リンク情報選択部６の広告選択部１３に送って広告エントリーデータベース１４に登録させる。さらに、広告管理サーバ４０は、リンク情報選択部６から広告選択情報１０５が入力されるごとに、その広告選択情報１０５に含まれる放送局ＩＤ１０３と広告ＩＤ１０６で識別されるウェブ広告１２１のＵＲＬ１４１とを対応づけてＩＤ解決サーバ４１に送信する。ＩＤ解決サーバ４１は、放送局ＩＤ１０３及びウェブ広告１２１のＵＲＬ１４１を、ＩＤ／ＵＲＬ対応テーブル４１Ａに登録する。
【００６２】
上記のように、ＩＤ解決サーバ４１は、広告管理サーバ４０から送信された放送局ＩＤ１０３とＵＲＬ１４１とを対応付けてＩＤ／ＵＲＬ対応テーブル４１Ａに登録している。図５を参照してコンピュータ装置であるＩＤ解決サーバ４１の構成について説明する。ＩＤ解決サーバ４１は、制御部４２、および、この制御部４２に接続された記憶部４３、ネットワーク通信部４５、時計４７を備えている。記憶部４３には、上述のＩＤ／ＵＲＬ対応テーブル４１Ａ、および、図９（Ｃ）のフローチャートで説明する処理手順を実行するためのプログラムが記憶されている。ネットワーク通信部４５は、ネットワークを介して端末装置２２と放送局ＩＤ１０３やＵＲＬ１４１などの送受信を行う。また、ＩＤ解決サーバ４１と広告管理サーバ４０が別のコンピュータで構成されＬＡＮなどのネットワークで接続されている場合、ネットワーク通信部４５は、広告管理サーバ４０とも通信する。制御部４２は、ネットワーク通信部４５を介して端末装置２２から受信した放送局ＩＤ１０３を、記憶部４３に含まれるＩＤ／ＵＲＬ対応テーブル４１Ａおよび時計４７を参照して、ＵＲＬ１４１に解決するＩＤ解決処理を実行する処理部（ＩＤ解決手段）である。「放送局ＩＤをＵＲＬに解決する」とは、この明細書では、「音響ＩＤを復調して得られるＩＤコードに対応したＵＲＬ（アドレス情報）を特定する」ことを意味する。
【００６３】
上記のように、広告管理サーバ４０は、リンク情報選択部６から新たな広告選択情報１０５が送られてくる毎に、その広告選択情報１０５に基づいて放送局ＩＤ１０３およびＵＲＬ１４１をＩＤ解決サーバ４１に転送する。ＩＤ解決サーバ４１は、受け取った放送局ＩＤ１０３およびＵＲＬ１４１に基づいてＩＤ／ＵＲＬ対応テーブル４１Ａの内容を更新する。また、ＩＤ解決サーバ４１は、端末装置２２から放送局ＩＤ１０３を受信すると、この放送局ＩＤ１０３をキーとしてＩＤ／ＵＲＬ対応テーブル４１Ａを検索し、放送局ＩＤ１０３に対応づけて登録されているＵＲＬ１４１を読み出して端末装置２２に返信する（ＩＤ解決）。このＩＤ解決は、ＩＤ解決サーバ４１が放送局ＩＤ１０３およびＵＲＬ１４１を広告管理サーバ４０から受け取り、ＩＤ／ＵＲＬ対応テーブル４１Ａの内容を更新したのち、所定の有効時間（たとえば５分）だけ許可される。この所定の有効時間におけるＩＤ解決サーバ４１のＩＤ解決動作をセッションと呼ぶ。
【００６４】
ＩＤ解決サーバ４１は、ある放送局ＩＤ１０３を解決すると、その放送局ＩＤ１０３を解決したことを広告管理サーバ４０に通知する。広告管理サーバ４０は、広告管理サーバ４０からの通知を受信すると、放送局ＩＤ１０３の解決回数、すなわち、ＵＲＬ１４１を端末装置２２に転送した回数を、端末装置２２によってＵＲＬ１４１にアクセスされた回数、すなわち、端末装置２２によってウェブ広告１２１が閲覧された回数とみなしてカウントし、このカウント値に基づいてリンク広告提供サービスの料金を計算する。広告管理サーバ４０は、リンク情報選択部６の広告選択部１３から受信した広告選択情報１０５に対応して、請求料金を「入札により決定された落札単価」×「アクセス数」で計算する。
【００６５】
広告管理サーバ４０の管理データベースに記憶された予算（円）は、一つのウェブ広告１２１のエントリーに対して広告主３０が支払い可能な広告料金の上限の金額である。管理サーバ４０は、上述した放送局ＩＤ１０３の解決に応じて計算される広告料金の総合計が予算に到達した場合は、以降、その放送局ＩＤ１０３に対応するウェブ広告１２１は、対応するキーワード１０２が入力されたとしても入札乃至選択されないよう、リンク情報選択部６の広告選択部１３乃至広告管理サーバ４０におけるウェブ広告１２１のエントリーを管理する。
【００６６】
広告管理サーバ４０は、放送局ＩＤ１０３がＵＲＬ１４１に解決されるごとに、広告主３０に対して落札単価の金額を課金してゆく。この課金額の請求は、広告料金がエントリーの予算に到達したときに行ってもよく、１回のキーワード１０２に対する広告選択単位で行ってもよい。請求処理は、係員処理でもよいが、広告主３０の預金口座またはクレジットカードに対してオンラインで請求するようにしてもよい。
【００６７】
《端末装置２２》
端末装置２２は、テレビ（受像機）２１を視聴している利用者２０が携帯する装置であり、テレビ２１が放音した音響ＩＤ１０４を収音して放送局ＩＤ１０３に復調し、この放送局ＩＤ１０３をＩＤ解決サーバ４１に送信して、ウェブ広告１２１のＵＲＬ１４１を取得する。ＩＤ解決サーバ４１は、ＩＤ／ＵＲＬ対応テーブル４１Ａを備えており、端末装置２２から受信した放送局ＩＤ１０３でＩＤ／ＵＲＬ対応テーブル４１Ａを検索し、対応するＵＲＬ１４１を読み出して端末装置２２に返信する。ＵＲＬ１４１を取得した端末装置２２は、このＵＲＬ１４１で広告提供サーバ３１にアクセスしてウェブ広告１２１をダウンロードして表示する。
【００６８】
図６は、端末装置２２のブロック図である。この図では、端末装置２２の一例であるスマートフォンの本願発明に関係する部分のみを取り出して示している。端末装置２２は、マイクロフォン５１、制御部５２、ネットワーク通信部５６、操作部５８、表示部５９を備えている。マイクロフォン５１は、テレビ受像機２１のスピーカから放音された音響ＩＤ１０４を含む音声信号を収音する。ネットワーク通信部５６は、Ｗｉ−Ｆｉ規格および／または３Ｇ（ＩＭＴ−２０００）規格等の無線通信により、インターネット、ローカル・エリア・ネットワーク等の通信網である通信ネットワーク５にアクセスする機能部である。端末装置２２は、通信ネットワーク５を介してＩＤ解決サーバ４１や広告提供サーバ３１と通信する。通信ネットワーク５は、移動体通信網、ゲートウェイ、または、インターネットなどの通信網である。また、通信ネットワーク５は、単独の通信網ではなく、通信方式が異なる複数の通信網を相互接続したものであってもよい。
【００６９】
制御部５２は、アプリケーションプログラムとの協働により、音響ＩＤ復調部５３、ＵＲＬ取得部５４およびウェブブラウザ５５として機能する。音響ＩＤ復調部５３は、マイクロフォン５１が収音した音声信号から音響ＩＤ１０４を抽出し、これを放送局ＩＤ１０３に復調する処理部である。
【００７０】
図７は、音響ＩＤ復調部５３のブロック図である。音響ＩＤ復調部５３には、マイクロフォン５１で収音されＡ／Ｄ変換された音声信号が入力される。入力された音声信号は、ＨＰＦ２５１に入力される。ＨＰＦ５１は１８ｋＨｚ付近をカットオフ周波数とするハイパスフィルタであり、入力された音声信号から放送コンテンツ１０１の音声信号に相当する可聴周波数帯域の信号を除去し、音響ＩＤ１０４に相当する周波数帯域の信号のみを取り出すためのフィルタである。ＨＰＦ２５１によって抽出された信号成分（音響ＩＤ１０４に相当する信号成分）は、遅延器２５２および乗算器２５３に入力される。遅延器２５２の遅延時間は、拡散符号の１チップ分のクロック数に設定されている。すなわち、送信側の音響ＩＤ変換部１５のアップサンプリング部２０６で拡散符号（差動符号）がＮ倍にアップサンプリングされている場合には、遅延器２５２の遅延量もＮサンプル分となる。乗算器２５３は、ＨＰＦ２５１から出力されたサンプルと遅延器２５２から出力されたサンプルとを乗算する。この処理が遅延検波処理である。この遅延検波処理によって、差動符号化された拡散符号（周波数スペクトルが拡散された放送局ＩＤ１０３）が元の拡散符号に変換される。
【００７１】
この遅延検波処理の特徴は、復調時にキャリア信号の再生を必要としない点である。このように、送信側に差動符号化、受信側に遅延検波を採用することにより、周波数変動に対して堅牢で、処理負荷も少ない通信システムを構築することが可能になる。
【００７２】
乗算器２５３の乗算出力は、ＬＰＦ２５４に入力される。ＬＰＦ２５４は、キャリア成分をフィルタリングしてベースバンド信号を抽出するとともに、余計な雑音をフィルタリングしてＳＮ比を向上させるためのフィルタであり、送信側で使用したＬＰＦ（ナイキストフィルタ）２０７と同様の特性のものである。なお、上述したように、変調部のＬＰＦ２０７とこのＬＰＦ２５４とを合わせて完全なナイキストフィルタ特性となるようにそれぞれルート特性のフィルタとされている。
【００７３】
ＬＰＦ２５４の出力信号は、整合フィルタ２５５へ入力される。整合フィルタ２５５は、送信側でデータ符号の拡散に使用されたものと同じ符号列である拡散符号ＰＮを係数に持つＦＩＲフィルタで構成される。係数に使用する拡散符号のチップレートは、送信側におけるアップサンプリング後のチップレートと同じである。すなわち、同じ拡散符号ＰＮの同じ符号が、整合フィルタ２５５において、アップサンプリング率を分繰り返すことになる。整合フィルタ２５５は、ＬＰＦ２５４の出力波形と拡散符号ＰＮとの畳み込み演算を実行し、その相関値を出力する。
【００７４】
整合フィルタ２５５が出力した相関値は、拡散符号ＰＮの周期で強い相関を表すピークを示し、そのピークの位相は、送信シンボルによって位相変調されている。このため、整合フィルタ２５５が出力した相関値には、送信シンボルの１および−１に対応して、それぞれ正の符号のピークおよび負の符号のピークが現れる。整合フィルタ２５５の出力は、ピーク検出部２５６へ入力される。ピーク検出部２５６は、拡散符号ＰＮの周期付近の大きなピークを検出し、相関ピークを特定する。特定された相関ピークは、符号判定部２５７へ入力される。符号判定部２５７は、ピーク位相からシンボルを復号し、これを放送局ＩＤ１０３として出力する。
【００７５】
音響ＩＤ復調部５３が音声信号から抽出した音響ＩＤ１０４を復調した放送局ＩＤ１０３は、ＵＲＬ取得部５４に入力される。ＵＲＬ取得部５４は、ネットワーク通信部５６を制御してＩＤ解決サーバ４１と通信し、放送局ＩＤ１０３にそのとき対応づけられているＵＲＬ１４１をＩＤ解決サーバ４１から取得する。このＵＲＬ１４１は、そのときテレビ受像機２１によって再生されている放送コンテンツ１０１（テレビ番組）の音声信号に重畳された音響ＩＤ１０４（放送局ＩＤ１０３）に対応するウェブ広告１２１のＵＲＬ１４１である。このＵＲＬ１４１は、ウェブブラウザ５５に入力される。ウェブブラウザ５５は、このＵＲＬ１４１を用いて広告提供サーバ３１にアクセスし、ウェブ広告１２１（副コンテンツ）をダウンロードして表示する。
【００７６】
《広告提供システム各部の動作》
以下、本広告提供システムの主要な構成部の処理手順を、図８、図９のフローチャートを参照して説明する。図８（Ａ）〜（Ｃ）は、広告管理サーバ４０の動作を示すフローチャートである。図９（Ａ）〜（Ｃ）は、それぞれ、広告選択部１３、端末装置２２およびＩＤ解決サーバ４１の動作を示すフローチャートである。
【００７７】
図８（Ａ）は、広告管理サーバ４０のエントリー受付動作を示すフローチャートである。広告主３０は、広告管理センター４の広告管理サーバ４０にエントリー情報等を送信して、リンク広告提供サービスへエントリーする。広告管理サーバ４０は、広告主３０からエントリー情報１２２、ウェブ広告１２１のＵＲＬ１４１等を受信すると（Ｓ１０）、ウェブ広告１２１のエントリーを受け付け、このウェブ広告１２１に広告ＩＤ１０６を付与する（Ｓ１１）。そして、広告管理サーバ４０は、受け付けたエントリー情報１２２および付与した広告ＩＤ１０６をリンク情報選択部６の広告選択部１３に送信する（Ｓ１２）。送信されたエントリー情報１２２および広告ＩＤ１０６は広告選択部１３において広告エントリーデータベース１４の指定された（エントリー情報１２２に記載されていた）キーワードの欄に登録される。
【００７８】
図９（Ａ）は、広告選択部１３の広告選択動作を示すフローチャートである。コンテンツ解析部１２から、放送コンテンツ１０１の内容を表すキーワード１０２が、広告選択部１３に入力されると（Ｓ４０）、広告選択部１３は、この入力されたキーワード１０２に基づいて広告選択処理を行う（Ｓ４１）。広告選択処理とは、キーワード１０２に対応づけられているエントリー情報１２２を広告エントリーデータベース１４から検索し、上述の選択ルールおよび自動入札に基づいて、今回のキーワード１０２に最適なウェブ広告１２１を今回のリンク広告として選択する処理である。広告選択部１３は、ステップＳ４１で選択したウェブ広告１２１の広告ＩＤ１０６と、受信している放送局の放送局ＩＤ１０３と、その落札金額とを含む情報を、広告選択情報１０５として広告管理サーバ４０に通知する（Ｓ４２）。
【００７９】
図８（Ｂ）は、広告管理サーバ４０の広告選択情報処理動作を示すフローチャートである。広告管理サーバ４０は、広告選択部１３からいずれかのウェブ広告１２１の広告選択情報１０５を受信すると（Ｓ２０）、この広告選択情報１０５（少なくとも広告ＩＤ１０６およびその落札単価）を所定の領域に記憶する（Ｓ２１）。これら記憶された広告ＩＤ１０６および落札単価は、ウェブ広告１２１の今回の選択による広告料金の計算等に利用される。そして、広告管理サーバ４０は、広告選択情報１０５に含まれていた広告ＩＤ１０６に対応するウェブ広告１２１のＵＲＬ１４１および放送局ＩＤ１０３をＩＤ解決サーバ４１に送信（アップロード）する（Ｓ２２）。送信されたＵＲＬ１４１は、ＩＤ解決サーバ４１において、放送局ＩＤ１０３に対応づけてＩＤ／ＵＲＬ対応テーブル４１Ａに登録される。これにより、放送局ＩＤ１０３が選択されたウェブ広告１２１のＵＲＬ１４１に解決されるようになる。
【００８０】
図９（Ｂ）は、端末装置２２が音響ＩＤ１０４を受信した時から後の端末装置２２の動作を示す、ウェブ広告取得プログラムのフローチャートである。この処理は、端末装置２２の制御部５２の動作を示しており、音響ＩＤ復調部５３、ＵＲＬ取得部５４およびウェブブラウザ５５の動作を含む。端末装置２２においては、このウェブ広告取得プログラムが常駐あるいはバックグランドで実行されている状態であり、随時この処理が実行される。音響ＩＤ復調部５３は、マイクロフォン５１で収音されたテレビ受像機２１からの音声信号に含まれる音響ＩＤ１０４を抽出して、放送局ＩＤ１０３に復調する（Ｓ５０）。ＵＲＬ取得部５４が、この復調された放送局ＩＤ１０３をＩＤ解決サーバ４１に送信し（Ｓ５１）、その返信としてウェブ広告１２１のＵＲＬ１４１を受信する（Ｓ５２）。ウェブブラウザ５５が、受信したＵＲＬ１４１を用いて広告提供サーバ３１にアクセスし、ウェブ広告１２１をダウンロードして表示する（Ｓ５３）。
【００８１】
図９（Ｃ）は、ＩＤ解決サーバ４１の動作を示すフローチャートである。この処理動作は、広告管理サーバ４０から放送局ＩＤ１０３に対応づけたＵＲＬ１４１を受け取ったときに（Ｓ２２参照）、そのＵＲＬ１４１に対して上述の有効時間だけ実行される。ＩＤ解決サーバ４１は、端末装置２２から放送局ＩＤ１０３を受信すると（Ｓ６０）、この放送局ＩＤ１０３でＩＤ／ＵＲＬ対応テーブル４１Ａを検索し、対応するＵＲＬ１４１を読み出す（Ｓ６１）。そして、ＩＤ解決サーバ４１は、その読み出したＵＲＬ１４１を端末装置２２に返信し（Ｓ６２）、その放送局ＩＤ１０３を解決した旨を広告管理サーバ４０に通知する（Ｓ６３）。
【００８２】
ＩＤ解決サーバ４１が、一つのＵＲＬ１４１について放送局ＩＤ１０６の解決を許可する有効時間Ｔは、刻々と場面転換され変化する放送コンテンツ１０１の内容に追従させるため、ＩＤ解決に時間制限を設けるためのものであるが、テレビ受像機２１から放音された音響ＩＤ１０４を収音した端末装置２２が、放送局ＩＤ１０３を解決してウェブ広告１２１を表示するのに十分な時間が設定される。具体的には５分程度が適当である。ただし、有効時間は５分に限定されず、より長くても短くてもよい。また、広告選択部１３から次の広告選択情報１０５が送られてくるまでとしてもよい。また、この有効時間の管理は、ＩＤ解決サーバ４１が行い、有効時間が経過した旨をＩＤ解決サーバ４１が広告管理サーバ４０に通知するようにしても良いし、広告管理サーバ４０が行い、有効時間が経過した旨を広告管理サーバ４０がＩＤ解決サーバ４１に通知するようにしてもよい。
【００８３】
図８（Ｃ）は、広告管理サーバ４０のエントリー管理動作を示すフローチャートである。広告管理サーバ４０は、ＩＤ解決サーバ４１に対して放送局ＩＤ１０３の解決を許可したとき（Ｓ２２参照）、当該許可した放送局ＩＤ１０３についてこの処理を実行する。
【００８４】
広告管理サーバ４０は、ＩＤ解決サーバ４１から放送局ＩＤ１０３を解決した旨の通知を受信すると（Ｓ３０でＹＥＳ）、その放送局ＩＤ１０３の今回のウェブ広告１２１（ＵＲＬ１４１）選択におけるＩＤ解決回数を計数する（Ｓ３１）。そして、広告管理サーバ４０は、今回のＩＤ解決において取得した広告選択情報１０５に記載されていた落札単価と計数されたＩＤ解決回数とを乗算して、選択されているウェブ広告１２１の今回のセッションにおける広告料金を計算する（Ｓ３２）。この今回のセッションにおける広告料金の金額と前回までのセッションにおける広告料金の総合計が、このウェブ広告１２１の広告予算に到達したかを判断する（Ｓ３３）。広告料金の総合計が、まだ広告予算に到達していないときには（Ｓ３３でＮＯ）、広告管理サーバ４０は、処理をＳ３０にもどして、次のＩＤ解決通知の受信の有無の判定を行う。一方、広告料金の総合計が、広告予算に到達した場合には（Ｓ３３でＹＥＳ）、広告管理サーバ４０は、リンク情報選択部６の広告選択部１３に対して、このウェブ広告１２１のエントリー情報を広告エントリーデータベース１４から消去するように指示するとともに（Ｓ３４）、ＩＤ解決サーバ４１に対しても、このウェブ広告１２１のＵＲＬ１４１および放送局ＩＤ１０３をＩＤ／ＵＲＬ対応テーブル４１Ａから消去するように指示する（Ｓ３５）。この結果、広告料金の総合計が予算に到達したウェブ広告１２１は、以降、広告選択部１３にて選択されたり、ＩＤ解決サーバ４１にてＩＤ解決されたりしないよう、そのウェブ広告１２１のエントリーが管理される。
【００８５】
なお、広告料金が広告予算に到達しないで有効時間Ｔ（ＩＤ解決サーバ４１で放送局ＩＤ１０３に対応してＵＲＬ１４１の送信を許可する時間）が経過した場合には（Ｓ３６でＹＥＳ）、広告管理サーバ４０は、今回の広告料金を前回までの広告料金の積算額に積算して（Ｓ３７）、不図示の記憶手段または広告管理データベースの所定の領域に記憶し、広告エントリー管理動作を終了する。
【００８６】
《変形例》
上述した実施形態の内容を、以下のように変形してもよい。以下に示す各変形例は、必要に応じて組み合わせて実施されても良い。
【００８７】
広告管理センター４の上記動作において、ＩＤ解決サーバ４１が放送局ＩＤ１０３を所定のＵＲＬ１４１に解決した回数等のログ（通信記録）を活用して、対象のウェブ広告１２１へのアクセス数等を割り出し、このログ（通信記録）を用いて広告効果を測定し、測定結果をクライアントに提示するようにしてもよい。
【００８８】
図１０は、テレビ受像機２１にアダプタを設けた場合の実施形態を示す図である。放送局１が放送局ＩＤ１０３を放送信号に重畳して放送しない場合、テレビ受像機２１で放送局ＩＤ１０３を生成、付加して放音すればよい。この場合、図１０に示すように、テレビ受像機２１にアダプタとして放送局ＩＤ放音装置７０を設ける。放送局ＩＤ放音装置７０は、音響ＩＤ変換部７１、オーディオ回路７２及びスピーカ７３で構成される。音響ＩＤ変換部７１は、テレビ受像機２１が現在受信している放送局の識別情報（放送局ＩＤ１０３）をＨＤＭＩ経由で取得し、この放送局ＩＤ１０３を音響ＩＤ１０４に変換してオーディオ回路７２に入力する。テレビ受像機２１から放送局ＩＤ１０３を取得するインタフェースはＨＤＭＩに限定されず、たとえばＵＳＢなどでもよい。オーディオ回路７２は、この音響ＩＤ１０４を増幅したのち、音としてスピーカ７３から端末装置２２に向けて放音する。なお、音響ＩＤ変換部７１の構成は、図１に示した音響ＩＤ変換部１５と同様の構成でよい。また、放送局ＩＤ放音装置７０は、テレビ受像機２１から取得した放送局ＩＤ１０３を、音響ＩＤ１０４に変換することなく、放送局ＩＤ１０３のままでＢｌｕｅｔｏｏｔｈ（登録商標）や赤外線通信などの通信規格に従って、音以外の媒体である電波や光の媒体で送信するように構成した放送局ＩＤ送信装置８０（不図示）としてもよい。
【００８９】
なお、図１０の変形例では、放送局ＩＤ放音装置７０をアダプタとしてテレビ受像機２１に接続したが、放送局ＩＤ放音装置７０の機能をテレビ受像機２１に内蔵してもよい。この場合において、放送局ＩＤ１０３は、放送音声と一緒に同じスピーカから放音されてもよく、別途設けられたスピーカから放音されてもよい。
【００９０】
図１０に示した実施形態の放送局ＩＤ放音装置７０は、スピーカを備え、音響ＩＤ１０４を、空気（気体）を媒質として伝送する装置として構成した。しかし、端末装置２２が固体や液体の振動を検出できるものであれば、音響ＩＤ１０４を固体や液体を媒質として伝送するようにしてもよい。
【００９１】
テレビ放送は多くのテレビ受像機２１で視聴されるため、複数の端末装置２２が同時に音響ＩＤ１０４を収音して、ＩＤ解決サーバ４１にアクセスが集中し、且つ、広告提供サーバ３１にアクセスが集中することにより、輻輳が発生する可能性がある。そこで、端末装置２２（ＵＲＬ取得部５４）に、ランダムな待ち時間を発生する機能を設けておき、この待ち時間待機したのち、ＩＤ解決サーバ４１および広告提供サーバ３１にアクセスするようにしてもよい。
【００９２】
また、上記実施形態では、端末装置２２は、音響ＩＤ１０４を復調したとき、視聴者２０の操作を経ることなく、広告提供サーバ３１にアクセスしてウェブ広告１２１を表示するようになっているが、端末装置２２は、広告提供サーバ３１にアクセスを指示（許可）する操作を受け付けた後に、広告提供サーバ３１にアクセスするようにしてもよい。
【００９３】
また、この実施形態では、広告を代表的な例として説明しているが、提供する情報は広告に限定されない。放送コンテンツ１０１の内容に関連する情報であれば、たとえば地域情報、料理レシピなどどのようなものであってもよい。
【００９４】
また、放送コンテンツ１０１に対する放送局ＩＤ１０３の付加方式は、音響ＩＤ１０４に限定されない。たとえば、音声信号のサブコードやデータ放送を用いることも可能である。ただし、音響ＩＤ１０４を用いる方式は、テレビ受像機２１に新たな機能を設ける必要がないなどのことから既存のテレビ受像システムに付加する場合に好適である。また、音響ＩＤ１０４を用いる場合であっても、スピーカから音響（音波）として放音して端末装置２２に収音させるのみならず、オーディオケーブルやＢｌｕｅｔｏｏｔｈ（登録商標）など有線や無線の伝送経路で音響信号を伝送するようにしてもよい。
【００９５】
また、音響ＩＤ１０４に代えて、放送コンテンツ１０１の音声指紋情報を利用してもよい。すなわち、音声指紋情報を用いて、放送コンテンツ１０１の配信元（放送局）や番組、ＣＭなどの放送コンテンツを特定し、これを放送局ＩＤ１０３に代わる識別情報（ＩＤコード）として用いてＩＤ解決サーバ４１にアクセスするようにしてもよい。
【００９６】
また、この実施形態ではテレビ放送を例に挙げて説明しているが、これに限定されず、たとえばラジオ放送、地域内の防災放送、施設内の構内放送、通信ネットワークを介した放送（インターネット放送）などの各種形態の配信、放送であってもよい。また、本発明における端末装置２２は、スマートフォンに限定されない。たとえば、携帯電話機やタブレット端末、ＰＤＡ（Personal Digital Assistant）、モバイルコンピュータ、ゲーム機、セットトップボックスなどを、本発明の端末装置２２として用いることが可能である。
【００９７】
また、リンク情報選択部６を、たとえば放送局１の内部に設置し、一般のテレビ受像機２１と異なる伝送路で放送コンテンツ１０１を受信するようにしてもよい。たとえば、地上波デジタル放送で放送される放送コンテンツ１０１を電波に乗せないで、データストリームとしてケーブル入力できるようにしてもよい。
【００９８】
また、リンク情報選択部６を広告管理センター４内に設置してもよい。また、広告管理サーバ４０、ＩＤ解決サーバ４１、および、リンク情報選択部６のコンテンツ解析部１２、広告選択部１３、広告エントリーデータベース１４の全部または一部を一体に（同じコンピュータシステムで）構成してもよい。
【００９９】
また、本広告提供システムの構成のうち、放送局ＩＤ重畳部１１の一部乃至全部、広告管理サーバ４０、ＩＤ解決サーバ４１、あるいは広告提供サーバ３１は、適宜仮想化技術による実現が可能であり、物理的に個別の装置で実現するようにしてもよいし、仮想化サーバにて個々の機能を実現するようにしてもよい。
【０１００】
また、放送局１または放送局ＩＤ放音装置７０が、放送局ＩＤ１０３に加えて、そのときの現在時刻（放送局１の放送時刻または放送局ＩＤ放音装置７０の放音時刻）を表す時刻情報を、音響ＩＤ１０４として送るようにしてもよい。そして、ＩＤ解決サーバ４１に放送局ＩＤ１０３および時刻情報に基づいてウェブ広告１２１を選択させるようにすることにより、録画された放送コンテンツ１０１に対しても、放送コンテンツ１０１を後で再生する際に、再生音声から放送局ＩＤ１０３および時刻情報を復調することで、適正なウェブ広告１２１の提供が可能になる。
【０１０１】
また、端末装置２２にユーザ２０のパーソナル情報を登録しておき、このパーソナル情報をウェブ広告１２１を選択するためのパラメータとして使用すれば、例えば男女、年齢別に最適な広告を提供することができる。また更に、端末装置２２がＧＰＳ等の位置情報を取得し、この位置情報をウェブ広告１２１を選択するためのパラメータとして使用すれば、ユーザ２０の居住地または現在地に最適な広告を提供することができる。これらパーソナル情報、位置情報は併用しても良い。また、これらパーソナル情報、位置情報に基づくウェブ広告１２１のコンテンツの選択変更は、ＩＤ解決サーバ４１で行ってもよく、広告提供サーバ３１で行っても良い。
【０１０２】
この実施形態では、一つの放送局１および一つのリンク情報選択部６のみを示しているが、放送局１が複数であってもよい。リンク情報選択部６は、これら複数の放送局１の放送コンテンツ１０１を受信して広告選択情報１０５を出力するよう構成すればよい。また、各放送局１に別々のリンク情報選択部６を設けてもよい。
【０１０３】
なお、本発明における情報コンテンツは、ディスプレイに表示されるウェブ広告１２１に限定されない。情報コンテンツは、スピーカによる放音、バイブレータによる振動、発光体による表示など各種出力手段により映像、音、振動等で提供される情報であってもよい。
【符号の説明】
【０１０４】
１  放送局
４  広告管理センター
５  通信ネットワーク
６  リンク情報選択部
４１Ａ  ＩＤ／ＵＲＬ対応テーブル
【図１】
2013247615.tif 000003
【図２】
2013247615.tif 000004
【図３】
2013247615.tif 000005
【図４】
2013247615.tif 000006
【図５】
2013247615.tif 000007
【図６】
2013247615.tif 000008
【図７】
2013247615.tif 000009
【図８】
2013247615.tif 000010
【図９】
2013247615.tif 000011
【図１０】
2013247615.tif 000012